(57)【要約】【課題】新たな構成の多用途クッションなどを提供する。特に、介護分野に用いるのに好適な多用途クッションなどを提供する。【解決手段】多数の弾性片が詰め込まれた概ね二等辺三角形状の複数個の略三角クッション部3a,3b,3c,3dが、隣り合う略三角クッション部と底辺31同士が概ね平行になるように等辺33同士が沿い合った状態で互い違いに連続しており、沿い合った等辺33部分を仕切り部34としてこの仕切り部34で折り曲げ自在に構成されている、多用途クッション１とした。また、この多用途クッション１が入った袋状のカバー４を備えた、カバー付きの多用途クッション２としてもよい。【選択図】図１
2014226232.tif 000002
【特許請求の範囲】
【請求項１】
多数の弾性片が詰め込まれた概ね二等辺三角形状の複数個の略三角クッション部が、隣り合う略三角クッション部と底辺同士が概ね平行になるように等辺同士が沿い合った状態で互い違いに連続しており、沿い合った等辺部分を仕切り部としてこの仕切り部で折り曲げ自在に構成されている、
多用途クッション。
【請求項２】
四個の略三角クッション部が、隣り合う略三角クッション部と底辺同士が平行になるように等辺同士が沿い合った状態で互い違いに連続しており、沿い合った等辺部分を仕切り部としてこの仕切り部で折り曲げ自在に構成されており、
略三角クッション部の底角が４０〜５０度である、
請求項１記載の多用途クッション。
【請求項３】
四個の略三角クッション部のうち内側の二個の略三角クッション部が、他の略三角クッション部よりも、弾性片が多く詰め込まれており厚みが大きい、
請求項２記載の多用途クッション。
【請求項４】
弾性片が粒状の弾性体からなる、
請求項１〜３何れか記載の多用途クッション。
【請求項５】
弾性片が円筒状弾性体である、
請求項１〜４何れか記載の多用途クッション。
【請求項６】
請求項１〜５何れか記載の多用途クッションと、この多用途クッションが入った袋状のカバーを備えた、カバー付きの多用途クッションであって、
前記袋状のカバーは、底部が斜めに切り取られたような形状であり、表側と裏側とで色彩が異なる、
カバー付きの多用途クッション。
【請求項７】
袋状のカバーの左右それぞれに、上下一対の連結紐が設けてある、
請求項６記載のカバー付きの多用途クッション。
【発明の詳細な説明】
【技術分野】
【０００１】
本発明は、多用途クッション、およびカバー付きの多用途クッションに関する。特に、介護分野に用いるのに好適な多用途クッション、およびカバー付きの多用途クッションに関する。
【背景技術】
【０００２】
多用途クッションとして種々のものが知られている。これら多用途クッションは、例えば、形を変形させることなどによって枕や座布団などとしての用途に用いることができる。
【０００３】
例えば、下記特許文献１には「縫製により６箇所以上の仕切りを並列に設け、各仕切り間の空間にクッション材を挿入することによって、６個以上のクッション部を設け、これらのクッション部とシート部が一体の生地で構成され、おすホック１対をシート部の端に、めすホック３対をクッション部につけているものであり、マット状に展開しているクッション部間の仕切り線上で折り曲げ、おすホックとめすホックをとめることにより、互いに平行状態を保ちながら、３種類以上の塊状に集結することを特徴とする多用途クッション。」が記載されている。本特許文献によると、この多用途クッションは、いすの座布団、横臥時の頭部や脚部をなどの支え、いすの背もたれや腰当てに利用できるとある。
【先行技術文献】
【特許文献】
【０００４】
【特許文献１】特開２００５−３１２８７８（請求項１、段落００１２）
【発明の概要】
【発明が解決しようとする課題】
【０００５】
本発明は、新たな構成の多用途クッションなどを提供することを目的とする。特に、介護分野に用いるのに好適な多用途クッションなどを提供することを目的とする。
【課題を解決するための手段】
【０００６】
上記課題を解決するために、多数の弾性片が詰め込まれた概ね二等辺三角形状の複数個の略三角クッション部が、隣り合う略三角クッション部と底辺同士が概ね平行になるように等辺同士が沿い合った状態で互い違いに連続しており、沿い合った等辺部分を仕切り部としてこの仕切り部で折り曲げ自在に構成されている、多用途クッションとした。
【０００７】
この多用途クッションは、仕切り部で折り曲げ自在であるため、各仕切り部を折り返すことによって座布団状になり、例えば、車椅子用の座布団として用いることができる。
また、複数個の略三角クッション部が連続しており仕切り部で折り曲げ自在であるため、人体関節部分に沿わせやすく、褥創を予防したり安楽な体位を維持したりするための、いわゆる体交枕として用いるのに好適である。仕切り部は、多用途クッションの長手方向に対して斜めに形成されている。
【０００８】
ここで、四個の略三角クッション部が、隣り合う略三角クッション部と底辺同士が平行になるように等辺同士が沿い合った状態で互い違いに連続しており、沿い合った等辺部分を仕切り部としてこの仕切り部で折り曲げ自在に構成されており、略三角クッション部の底角が４０〜５０度である、多用途クッションとすることができる。
【０００９】
この多用途クッションは、底角が４０〜５０度の略三角クッション部が四個連続しているため、各仕切り部を折り返すことによって丁度一周して、両端部が重なり合い、座布団状になる。こうすると、座布団として用いるのに好適である。
【００１０】
このとき、四個の略三角クッション部のうち内側の二個の略三角クッション部が、他の略三角クッション部よりも、弾性片が多く詰め込まれており厚みが大きい、多用途クッションとすることができる。
【００１１】
この多用途クッションは、車椅子用の座布団として用いる際に、重なり合った両端部が後方側になるように車椅子に載せれば、厚みが大きい略三角クッション部の重なった部分が前方側に位置することになる。これによって、車椅子利用者が車椅子から前方に転落しにくくなり安全性が向上する。
【００１２】
弾性片が粒状の弾性体からなる多用途クッションとすることもできる。
【００１３】
この多用途クッションは、略三角クッション部において弾性片（粒状の弾性体）が流動しやすくなり、これによって、より一層、仕切り部で折り曲げやすくなる。また、仕切り部で折り曲げた際に、粒状の弾性体が流動し、折り曲げた形状が保持されやすくなる。
【００１４】
弾性片が円筒状弾性体である多用途クッションとすることもできる。
【００１５】
この多用途クッションは、安価で軽量なものとなる。円筒状弾性体とは、例えば、ストローを長手方向に細かく切断したような形状である。
【００１６】
前記課題は、上記何れかの多用途クッションと、この多用途クッションが入った袋状のカバーを備えた、カバー付きの多用途クッションであって、前記袋状のカバーは、底部が斜めに切り取られたような形状であり、表側と裏側とで色彩が異なる、カバー付きの多用途クッションとすることでも解決される。
【００１７】
このカバー付きの多用途クッションは、袋状のカバーの底部が斜めに切り取られたような形状であるため、多用途クッションがフィットしやすい。また、袋状のカバーが表側と裏側とで色彩が異なるため、各仕切り部を折り返して座布団状にした場合に、表側と裏側の色が交互に表れることになり、デザイン的にも優れたものになる。
【００１８】
このとき、袋状のカバーの左右それぞれに、上下一対の連結紐が設けてある、カバー付きの多用途クッションとすることが好ましい。
【００１９】
このカバー付きの多用途クッションは、座布団状にした場合に、両端の連結紐を結ぶことで形状を維持させやすくなる。また、体交枕として用いる場合に、連結紐を足や腕などに巻き付けるなどして使用することができる。
【発明の効果】
【００２０】
本発明により、新たな構成の多用途クッションなどを提供することができる。特に、介護分野に用いるのに好適な多用途クッションなどを提供することができる。
【図面の簡単な説明】
【００２１】
【図１】多用途クッションを例示する平面写真である。
【図２】多用途クッションの各仕切り部を折り返すことによって座布団状にする様子を例示する平面写真である。
【図３】多用途クッションの各仕切り部を折り返すことによって座布団状にした状態を例示する平面写真である。
【図４】袋状のカバーを例示する写真である。
【図５】カバー付きの多用途クッションを例示する写真である。
【図６】カバー付きの多用途クッションの各仕切り部を折り返すことによって座布団状にした状態を例示する平面写真である。
【図７】カバー付きの多用途クッションを車椅子に載置した状態を例示する写真である。
【図８】カバー付きの多用途クッションを体交枕として用いた様子を例示する写真である。
【発明を実施するための形態】
【００２２】
以下、図を用いて多用途クッション１、及びカバー付きの多用途クッション２を例示説明する。本発明およびその構成要素は、以下の説明に限定されるものではない。なお、図１において、四個の略三角クッション部3a,3b,3c,3dのうち、図中左から二番目の略三角クッション部3bにのみ、底辺31や等辺33などの符号を付してあり、その他の略三角クッション部3a,3c,3dには、これらの符号を省略してある。
【００２３】
［多用途クッション］
多用途クッション１は、平面視が概ね二等辺三角形状の複数個の略三角クッション部で構成される。図１などに示す例では、四個の略三角クッション部3a,3b,3c,3dで構成されており、略三角クッション部3a,3b,3c,3dは、上下互い違いではあるものの、平面視で概ね同一形状である。本実施形態では、略三角クッション部3a,3b,3c,3dの底角32θは概ね４５度である。
【００２４】
そして、略三角クッション部3a,3b,3c,3dには、多数の弾性片が詰め込まれている(図示せず)。弾性片としては粒状の弾性体を用いることができる。粒状の弾性体の材料としては、例えば、スチレン、ポリイソプレン、ポリブタジエン、スチレンブタジエンゴム、シリコンゴム、天然ゴム、ポリウレタン、ポリプロピレンと架橋ゴムとの複合材料などを用いることができる。また、粒状の弾性体の形状としては、例えば、球状、円錐状、円柱状、円筒状、直方体状などとすることができる。粒状の弾性体としては、軽量で弾性率も選択しやすい発泡成形品を用いることができる。
【００２５】
略三角クッション部3a,3b,3c,3dには、外力に応じて内部の弾性片が流動する程度に、弾性片を詰め込むことが好ましい。弾性片の流動性を考慮すると、粒状の弾性体の形状としては、例えば、球状、円錐状、円柱状、円筒状などが好ましい。粒状の弾性体の大きさは、１〜１０ｍｍが好ましい。
【００２６】
そして、多用途クッション部3a,3b,3c,3dは、隣り合う略三角クッション部と底辺31同士が平行（概ね平行）になるように等辺33同士が沿い合ったような状態で互い違いに連続しており、沿い合った等辺33部分を仕切り部34としてこの仕切り部34で折り曲げ自在に構成されている。仕切り部34には弾性片が存在しないか、存在しているとしても微量である。
【００２７】
本実施形態では、横長平行四辺形状の袋体に弾性片を入れ、概ね等しい形状の四個の略三角クッション部が形成されるように、横長平行四辺形状の袋体をジグザグ状に縫製して仕切り部34（仕切り線）を形成してある。
【００２８】
そして、四個の略三角クッション部3a,3b,3c,3dのうち内側の二個の略三角クッション部3b,3cには、他の略三角クッション部（左右両端に位置する略三角クッション部）3a,3dよりも弾性片を多く詰め込んであり、内側の二個の略三角クッション部3b,3cの厚みを大きくしてある（図示せず）。
【００２９】
この多用途クッション１は、図２及び図３に示すように、各仕切り部34を順次同一方向に折り返すことによって丁度一周して、両端部が重なり合い、座布団状になるのである。ここで、図３の例では、略三角クッション部3dの先端側を、略三角クッション部3aの下に潜り込ませてある。そして、車椅子用の座布団として使う場合などには、四個の略三角クッション部3a,3b,3c,3dのうち、厚みが大きい略三角クッション部3b,3cの重なった部分が前方側にくるように車椅子に載せるとよい。
【００３０】
［カバー付きの多用途クッション］
多用途クッション１には、図５に示すように、袋状のカバー４を被せてもよい。
【００３１】
袋状のカバー４は、図４に示すように、底部42（開口部45とは反対側）が斜めに切り取られたような形状としてある。具体的には、多用途クッション１にフィットするように底部42の先端部の角度が略三角クッション部の底角32θとほぼ同じ角度になるように構成してある。本実施形態では、袋状のカバー４の開口部45側は、長手方向に対して概ね直角な、直線状としてある。
【００３２】
また、袋状のカバー４は、表側と裏側とで異なる色彩としてある。本実施形態では、表側をオレンジ、裏側をホワイトとしてある。
【００３３】
また、袋状のカバー４の左右（長手方向の両端部）それぞれには、上下一対の連結紐41が設けてある。
【００３４】
このカバー付きの多用途クッション２は、図６に示すように、多用途クッション１単体の場合と同様、多用途クッション１の各仕切り部34を袋状のカバー４ごと折り返すことによって座布団状にすることができる。このとき、袋状のカバー４の左右の連結紐41を結ぶことが好ましい。そして、図７に示すように、例えば車椅子に載置することができる。
【００３５】
また、図８に示すように、カバー付きの多用途クッション２を体交枕として用いることができる。このとき、連結紐41を足や腕などに巻き付けるなどして使用することができる（図示せず）。カバー付きの多用途クッション２は長手方向に対して斜めに折り曲げ自在であり、体交枕として用いるのにはフィット感が高く好適である。多用途クッション１単体でも同様である。
【００３６】
以上、特定の実施形態を参照して本発明を説明したが、本発明は上記実施形態に限定されるものではなく、当該技術分野における熟練者等により、本出願の願書に添付された特許請求の範囲から逸脱することなく、種々の変更及び修正が可能である。
【符号の説明】
【００３７】
１  多用途クッション
２  カバー付きの多用途クッション
3a,3b,3c,3d  略三角クッション部
31    底辺
32θ  底角
33    等辺
34    仕切り部
４  袋状のカバー
41  連結紐
42  底部
45  開口部
【図１】
2014226232.tif 000003
【図２】
2014226232.tif 000004
【図３】
2014226232.tif 000005
【図４】
2014226232.tif 000006
【図５】
2014226232.tif 000007
【図６】
2014226232.tif 000008
【図７】
2014226232.tif 000009
【図８】
2014226232.tif 000010